(57)【要約】【課題】  入射光および入射音の透過率を調整することができるとともに，軽量で厚みの薄い遮光遮音構造体を提供すること。【解決手段】  本発明の遮音構造体は，第１面と第２面との間での光および音の伝播を遮断するものである。フレームは，いずれも複数の貫通窓が形成されている第１面側の第１面部と第２面側の第２面部とを有し，その貫通窓が透明フィルムによって塞がれている。また，第１面部と第２面部との間の内部空間には，第１面部の貫通窓と第２面部の貫通窓との間の透光領域を遮ることのできる遮光部を有している。そして，圧力調整部により内部空間と大気圧との差圧が大きくなるように調整されることで，フィルムに張力が掛かった遮音状態をとることができる。【選択図】図１
2015161106.tif 000002
【特許請求の範囲】
【請求項１】
第１面と，前記第１面の反対側の第２面とを有し，前記第１面と前記第２面との間での光および音の伝播を遮断する遮光遮音構造体において，
前記第１面の側に位置する第１面部と，前記第２面の側に位置するとともに前記第１面部と間隔を設けて配置されている第２面部とを有し，前記第１面部および前記第２面部にともに複数の貫通窓が形成されているフレームと，
前記第１面部および前記第２面部のすべての貫通窓を塞ぐとともに，前記第１面部と前記第２面部との間の間隔を外部の空間から区画して内部空間を形成している可撓性を有する透明フィルムと，
前記内部空間に設けられ，前記第１面部の貫通窓と前記第２面部の貫通窓との間の透光領域における光の通過を遮る遮光状態と，前記遮光状態よりも前記透光領域における光の透過率を高くする非遮光状態とをとる遮光部と，
前記内部空間と外部との間で空気を移動させて前記内部空間の圧力を調整する圧力調整部とを有し，
前記透明フィルムは，
前記圧力調整部により前記内部空間の圧力と大気圧との差の絶対値である差圧が大きくなるように前記内部空間の圧力が調整されることで，前記透明フィルムの前記貫通窓上の部分が前記貫通窓の内部へ向けて湾曲状に進入するとともに張力が掛かって音の透過を遮断する緊張状態と，
前記緊張状態よりも前記差圧が小さくなるように前記内部空間の圧力が調整されることで，前記緊張状態が解除されて音が透過する緊張解除状態とをとるものであることを特徴とする遮光遮音構造体。
【請求項２】
請求項１に記載の遮光遮音構造体において，
前記透明フィルムは，
前記第１面部および前記第２面部の貫通窓を外側から塞いでいるものであり，
前記圧力調整部により前記内部空間の空気が外部へ排出されることで前記緊張状態をとり，前記圧力調整部により外部の空気が前記内部空間へ吸入されることで前記緊張解除状態をとるものであることを特徴とする遮光遮音構造体。
【請求項３】
請求項１または請求項２に記載の遮光遮音構造体において，
前記内部空間の圧力とは無関係に，前記遮光部の状態を前記遮光状態と前記非遮光状態との間で切り替える切替部を有していることを特徴とする遮光遮音構造体。
【請求項４】
請求項１に記載の遮光遮音構造体において，
前記内部空間の圧力を受ける内面と大気圧を受ける外面とが設けられ，前記差圧により高圧力側から低圧力側へと移動する向きの力を受ける移動部材と，
前記移動部材が前記差圧により受ける力と逆向きに前記移動部材を付勢する付勢部材とを有し，
前記遮光部は，
前記移動部材が前記付勢部材による付勢に抗して前記差圧による力の向きに移動することで前記遮光状態と前記非遮光状態との一方から他方へ切り替わるとともに，
前記移動部材が前記付勢部材による付勢の向きに移動することで前記遮光状態と前記非遮光状態との前記他方から前記一方へ切り替わるものであることを特徴とする遮光遮音構造体。
【請求項５】
請求項２に記載の遮光遮音構造体において，
前記内部空間の圧力を受ける内面と大気圧を受ける外面とが設けられ，前記差圧により高圧力側から低圧力側へと移動する向きの力を受ける移動部材と，
前記移動部材が前記差圧により受ける力と逆向きに前記移動部材を付勢する付勢部材とを有し，
前記遮光部は，
前記移動部材が前記付勢部材による付勢に抗して前記差圧による力の向きに移動することで前記遮光状態と前記非遮光状態との一方から他方へ切り替わるとともに，
前記移動部材が前記付勢部材による付勢の向きに移動することで前記遮光状態と前記非遮光状態との前記他方から前記一方へ切り替わるものであることを特徴とする遮光遮音構造体。
【請求項６】
請求項５に記載の遮光遮音構造体において，
前記遮光部が前記遮光状態と前記非遮光状態との間で切り替わるときの前記差圧である第１の差圧が，
前記透明フィルムが前記緊張状態と前記緊張解除状態との間で切り替わるときの前記差圧である第２の差圧よりも低い値であることを特徴とする遮光遮音構造体。
【請求項７】
請求項５に記載の遮光遮音構造体において，
前記遮光部が前記遮光状態と前記非遮光状態との間で切り替わるときの前記差圧である第１の差圧が，
前記透明フィルムが前記緊張状態と前記緊張解除状態との間で切り替わるときの前記差圧である第２の差圧よりも高い値であることを特徴とする遮光遮音構造体。
【請求項８】
請求項５から請求項７のいずれかに記載の遮光遮音構造体において，
前記第１面部と前記第２面部とは，
それぞれ別部材で構成されているとともに，前記第１面部と前記第２面部との間隔が可変である前記移動部材であり，
前記差圧により互いに近づく向きの力を受けるものであることを特徴とする遮光遮音構造体。
【請求項９】
請求項１から請求項８のいずれかに記載の遮光遮音構造体において，
前記遮光部は，
前記第１面部および第２面部のいずれとも交差しない軸の軸方向周りに回転することのできる板状の部材であり，
前記遮光状態では前記非遮光状態よりも，前記透光領域を遮る面積が大きいものであることを特徴とする遮光遮音構造体。
【請求項１０】
請求項８に記載の遮光遮音構造体において，
前記遮光部は，
両端部がそれぞれ前記第１面部と前記第２面部とに接続されているとともに，
前記遮光状態では前記非遮光状態よりも，端部よりも中央寄りの部分が前記透光領域へ向けて突出することによって，前記透光領域を遮る面積が大きいものであることを特徴とする遮光遮音構造体。
【請求項１１】
請求項８に記載の遮光遮音構造体において，
前記遮光部は，
前記第１面部および前記第２面部とリンクにより接続されているとともに，前記第１面部と前記第２面部との間隔の変化に伴って前記第１面部および前記第２面部のいずれとも交差しない面内を移動する板状の部材であり，
前記遮光状態では前記非遮光状態よりも，前記透光領域を遮る面積が大きいものであることを特徴とする遮光遮音構造体。
【請求項１２】
請求項４から請求項７のいずれかに記載の遮光遮音構造体において，
前記移動部材が前記差圧あるいは前記付勢部材の付勢により移動できないように固定する固定状態と，前記固定状態を解除した非固定状態とをとることができる固定部材を有することを特徴とする遮光遮音構造体。
【請求項１３】
請求項１から請求項１２のいずれかに記載の遮光遮音構造体において，
前記遮光部は，前記遮光状態から前記非遮光状態までの間のいずれの状態でも，前記緊張状態から前記緊張解除状態までの間のいずれの状態の前記透明フィルムとも接触しないものであることを特徴とする遮光遮音構造体。
【発明の詳細な説明】
【技術分野】
【０００１】
本発明は，入射光および入射音の透過率を調整することのできる遮光遮音構造体に関する。
【背景技術】
【０００２】
従来より，オフィス内の空間は，会議室やオープンスペース等を設けるため，仕切りにより区画されている。このようなオフィス空間の区画において，仕切りを設けることによる閉塞感等の解消や，意匠性を高めるため，透明のガラスを仕切りとして用いた会議室等が採用される機会が増えている。しかし，例えば機密性の高い会議を行うためには，ガラス張りの会議室とは別に，外から見えないように遮光された専用の会議室をも設ける必要がある。
【０００３】
また，製品開発の場では，新製品の開発のため，新たに専用の防音室が必要となることがある。専用の防音室については，新製品の開発時に設置し，その開発が終わった後には不要となり撤去しなければならないこともある。よって，その設置や撤去の手間が問題となる。また，防音室を設置するためのスペースは，既存の工場内等に確保しなければならないことが多い。
【０００４】
よって，これら専用の会議室や防音室等は，その他の目的で使用し辛いにも関わらず，ある程度のスペースを占めてしまうことが問題となる。そして，このような問題は，入射光および入射音の透過率をいずれも調整することができる仕切りにより区画したスペースを設けておくことで解決することができる。そのスペースを，様々な目的に合わせた状態として使用することができるからである。
【０００５】
例えば，特許文献１には，ルーバーによるブラインドを内蔵した複層ガラスが開示されている。このようなブラインドを内蔵した複層ガラスは，ルーバーの角度を変えることにより，必要に応じて，透光状態と遮光状態とで切り替えることができる。また，複層ガラスは当然，単層のものよりも高い遮音性を有する。
【０００６】
また，特許文献２には，袋状の薄いフィルムを，その両側より複数の開口を有する枠体によって挟み込んでなる遮音構造体が記載されている。このような遮音構造体においては，袋状のフィルム内に，フィルムが枠体の開口内に突出するまで空気を充填させることにより，遮音効果を得ることができるとされている。これにより，軽量で安価な構成の遮音構造体を構成することができるとされている。さらに，この遮音構造体では，フィルム内部の空気圧によって入射音の透過損失を調整することができる。
【先行技術文献】
【特許文献】
【０００７】
【特許文献１】特開２００７−２３１６１３号公報
【特許文献２】特開２０１２−１２２２３６号公報
【発明の概要】
【発明が解決しようとする課題】
【０００８】
しかしながら，上記の特許文献１に記載の複層ガラスについては，ある程度の遮音性能を有するものの，これを仕切りとして相応の防音室を設置するためには，仕切りが大きく，重いものとなってしまう。可聴周波数領域の大部分においては，面密度が大きい構造体ほど，入射音の透過損失が大きくなるという質量則が支配的であると考えられている。このため，防音室の仕切りとするための複層ガラスには，厚みの厚いものを用いる必要があるからである。
【０００９】
また，複層ガラスでは，入射音の透過率については調整することはできない。よって，複層ガラスを仕切りとして区画されたスペースは，防音やそれ以外の目的に応じて，多様に使い分けることができないという問題があった。
【００１０】
一方，上記の特許文献２に記載の遮音構造体は，音の透過率については調整することができるものの，光の透過率については調整することができないものである。
【００１１】
本発明は，前記した従来の技術が有する問題点の解決を目的としてなされたものである。すなわちその課題とするところは，入射光および入射音の透過率を調整することができるとともに，軽量で厚みの薄い遮光遮音構造体を提供することである。
【課題を解決するための手段】
【００１２】
この課題の解決を目的としてなされた本発明の遮光遮音構造体は，第１面と，第１面の反対側の第２面とを有し，第１面と第２面との間での光および音の伝播を遮断する遮光遮音構造体であって，第１面の側に位置する第１面部と，第２面の側に位置するとともに第１面部と間隔を設けて配置されている第２面部とを有し，第１面部および第２面部にともに複数の貫通窓が形成されているフレームと，第１面部および第２面部のすべての貫通窓を塞ぐとともに，第１面部と第２面部との間の間隔を外部の空間から区画して内部空間を形成している可撓性を有する透明フィルムと，内部空間に設けられ，第１面部の貫通窓と第２面部の貫通窓との間の透光領域における光の通過を遮る遮光状態と，遮光状態よりも透光領域における光の透過率を高くする非遮光状態とをとる遮光部と，内部空間と外部との間で空気を移動させて内部空間の圧力を調整する圧力調整部とを有し，透明フィルムは，圧力調整部により内部空間の圧力と大気圧との差の絶対値である差圧が大きくなるように内部空間の圧力が調整されることで，透明フィルムの貫通窓上の部分が貫通窓の内部へ向けて湾曲状に進入するとともに張力が掛かって音の透過を遮断する緊張状態と，緊張状態よりも差圧が小さくなるように内部空間の圧力が調整されることで，緊張状態が解除されて音が透過する緊張解除状態とをとるものであることを特徴とする遮光遮音構造体である。
【００１３】
本発明の遮光遮音構造体は，内部空間の圧力と大気圧との差圧により，透明フィルムに張力を掛けて遮音状態をとることができる構成である。また，内部空間には遮光部が設けられている。そして，遮光部が非遮光状態のとき，第１面および第２面のうちの一方の面への入射光は，フレームの貫通窓を通過することにより他方の面側へと透過することができる。一方，遮光部が遮光状態のときには，入射光は遮光遮音構造体を透過することができない。よって，入射光および入射音の透過率を調整することができる。さらに，フレームは，フィルムの張力を支持できる程度の剛性を有していればよい。このため，遮音のための厚みの厚い構成などは必要ない。よって，軽量で厚みの薄い遮光遮音構造体とすることができる。
【００１４】
また，上記に記載の遮光遮音構造体において，透明フィルムは，第１面部および第２面部の貫通窓を外側から塞いでいるものであり，圧力調整部により内部空間の空気が外部へ排出されることで緊張状態をとり，圧力調整部により外部の空気が内部空間へ吸入されることで緊張解除状態をとるものであることが好ましい。内部空間の圧力が低い状態で遮音状態をとることができ，内部空間における音の空気伝導が低減されるからである。
【００１５】
また，上記に記載の遮光遮音構造体において，内部空間の圧力とは無関係に，遮光部の状態を遮光状態と非遮光状態との間で切り替える切替部を有していることが好ましい。遮音状態と非遮音状態との切り替えと，遮光状態と非遮光状態との切り替えとを，個別に行うことができるからである。
【００１６】
また，上記に記載の遮光遮音構造体において，内部空間の圧力を受ける内面と大気圧を受ける外面とが設けられ，差圧により高圧力側から低圧力側へと移動する向きの力を受ける移動部材と，移動部材が差圧により受ける力と逆向きに移動部材を付勢する付勢部材とを有し，遮光部は，移動部材が付勢部材による付勢に抗して差圧による力の向きに移動することで遮光状態と非遮光状態との一方から他方へ切り替わるとともに，移動部材が付勢部材による付勢の向きに移動することで遮光状態と非遮光状態との他方から一方へ切り替わるものであることが好ましい。遮音状態と非遮音状態との切り替えと，遮光状態と非遮光状態との切り替えとを，内部空間の圧力を調整することにより行うことができるからである。すなわち，圧力調整部により，遮音状態と非遮音状態との切り替え，遮光状態と非遮光状態との切り替えをともに行うことができるからである。
【００１７】
また，上記に記載の遮光遮音構造体において，遮光部が遮光状態と非遮光状態との間で切り替わるときの差圧である第１の差圧が，透明フィルムが緊張状態と緊張解除状態との間で切り替わるときの差圧である第２の差圧よりも低い値であることが好ましい。例えば，内部空間を減圧して遮光・遮音状態をとる構成のものでは，遮光・遮音状態および非遮光・非遮音状態以外にも，差圧を第１の差圧と第２の差圧との間に調整することにより，遮光・非遮音状態をとることができるからである。
【００１８】
また，上記に記載の遮光遮音構造体において，遮光部が遮光状態と非遮光状態との間で切り替わるときの差圧である第１の差圧が，透明フィルムが緊張状態と緊張解除状態との間で切り替わるときの差圧である第２の差圧よりも高い値であることが好ましい。例えば，内部空間を減圧して遮光・遮音状態をとる構成のものでは，遮光・遮音状態および非遮光・非遮音状態以外にも，差圧を第２の差圧と第１の差圧との間に調整することにより，非遮光・遮音状態をとることができるからである。
【００１９】
また，上記に記載の遮光遮音構造体において，第１面部と第２面部とは，それぞれ別部材で構成されているとともに，第１面部と第２面部との間隔が可変である移動部材であり，差圧により互いに近づく向きの力を受けるものであることが好ましい。第１面部および第２面部を構成する部材の間隔により，遮音状態と非遮音状態との切り替え，遮光状態と非遮光状態との切り替えをともに行うことができる。つまり，遮音状態，非遮音状態，遮光状態，非遮光状態の切り替えのため，特段の構成を設ける必要がないからである。
【００２０】
また，上記に記載の遮光遮音構造体において，遮光部は，第１面部および第２面部のいずれとも交差しない軸の軸方向周りに回転することのできる板状の部材であり，遮光状態では非遮光状態よりも，透光領域を遮る面積が大きいものとすることができる。
【００２１】
また，上記に記載の遮光遮音構造体において，遮光部は，両端部がそれぞれ第１面部と第２面部とに接続されているとともに，遮光状態では非遮光状態よりも，端部よりも中央寄りの部分が透光領域へ向けて突出することによって，透光領域を遮る面積が大きいもののとすることができる。
【００２２】
また，上記に記載の遮光遮音構造体において，遮光部は，第１面部および第２面部とリンクにより接続されているとともに，第１面部と第２面部との間隔の変化に伴って第１面部および第２面部のいずれとも交差しない面内を移動する板状の部材であり，遮光状態では非遮光状態よりも，透光領域を遮る面積が大きいものとすることができる。
【００２３】
また，上記に記載の遮光遮音構造体において，移動部材が差圧あるいは付勢部材の付勢により移動できないように固定する固定状態と，固定状態を解除した非固定状態とをとることができる固定部材を有することが好ましい。遮光状態あるいは非遮光状態としたまま，遮音状態と非遮音状態との間で切り替えることができるからである。
【００２４】
また，上記に記載の遮光遮音構造体において，遮光部は，遮光状態から非遮光状態までの間のいずれの状態でも，緊張状態から緊張解除状態までの間のいずれの状態の透明フィルムとも接触しないものであることが好ましい。遮光部が透明フィルムに当たることによる，透明フィルムの破損や，透明フィルムの緊張状態が解除されてしまうような事態が発生することを防止できるからである。さらに，いずれも緊張状態の第１面および第２面の透明フィルムの間を，透明フィルムに遮光部が接触することによって音が伝達されてしまうおそれもない。
【発明の効果】
【００２５】
本発明によれば，入射光および入射音の透過率を調整することができるとともに，軽量で厚みの薄い遮光遮音構造体が提供されている。
【図面の簡単な説明】
【００２６】
【図１】第１の形態に係る遮光遮音構造体（非遮光・非遮音状態）の断面図である。
【図２】第１の形態に係る遮光遮音構造体（非遮光状態）の正面図である。
【図３】第１の形態に係る遮光遮音構造体（遮光・非遮音状態）の断面図である。
【図４】第１の形態に係る遮光遮音構造体（遮光状態）の正面図である。
【図５】第１の形態に係る遮光遮音構造体（非遮光・遮音状態）の断面図である。
【図６】第１の形態に係る遮光遮音構造体（遮光・遮音状態）の断面図である。
【図７】遮光遮音構造体の外縁部以外に枠体接続部を設けた例である。
【図８】第２の形態に係る遮光遮音構造体（非遮光状態）の正面図である。
【図９】第２の形態に係る遮光遮音構造体のルーバー回転部の断面図である。
【図１０】内部空間の圧力とピストンの位置との関係を示した図である。
【図１１】第２の形態に係る遮光遮音構造体のルーバー回転部の変形例の断面図である。
【図１２】第３の形態に係る遮光遮音構造体（非遮光・非遮音状態）の断面図である。
【図１３】第３の形態に係る遮光遮音構造体（非遮光状態）の正面図である。
【図１４】第３の形態に係る遮光遮音構造体（遮光・遮音状態）の断面図である。
【図１５】第３の形態に係る遮光遮音構造体（遮光状態）の正面図である。
【図１６】内部空間の圧力とフレームの２枚の枠体の位置との関係を示した図である。
【図１７】第４の形態に係る遮光遮音構造体（非遮光・非遮音状態）の断面図である。
【図１８】第４の形態に係る遮光遮音構造体（非遮光状態）の正面図である。
【図１９】第４の形態に係る遮光遮音構造体（遮光・遮音状態）の断面図である。
【図２０】第４の形態に係る遮光遮音構造体（遮光状態）の正面図である。
【発明を実施するための形態】
【００２７】
［第１の形態］
以下，本発明を具体化した第１の形態について，添付図面を参照しつつ詳細に説明する。図１に，本形態に係る遮光遮音構造体１００の断面図を示す。本形態に係る遮光遮音構造体１００は，図１における左側の第１面Ａと右側の第２面Ｂとの間での光および音の伝搬を遮断することのできるものである。すなわち，遮光遮音構造体１００は，第１面Ａおよび第２面Ｂの一方の面への入射光の他方の面側への透過を遮断する遮光状態と，遮光状態を解除して入射光を透過させることのできる非遮光状態とをとることができる。さら
には，第１面Ａおよび第２面Ｂの一方の面への入射音の他方の面側への透過を遮断する遮音状態と，遮音状態を解除して入射音を透過させることのできる非遮音状態とをとることができる。
【００２８】
図１に示すように，遮光遮音構造体１００は，フレーム１１０と，フレーム１１０の第１面Ａ側の面１１１および第２面Ｂ側の面１１２にそれぞれ貼り付けられているフィルム１５０，１５１とを有している。フィルム１５０，１５１は，可撓性を有するとともに，可視光を透過することができる透明な薄膜である。フィルム１５０，１５１としては，ポリエチレンや塩化ビニルなどからなる樹脂フィルムを用いることができる。
【００２９】
本形態のフレーム１１０は，その第１面Ａ側の面１１１および第２面Ｂ側の面１１２をそれぞれ構成する２枚の枠体１２０を有している。枠体１２０は，図１に示すように，平板状の可視光を透過しない材質のものであり，厚み方向に貫通している孔である貫通窓１２１が複数形成されている。このため，枠体１２０は，貫通窓１２１において可視光を透過させ，貫通窓１２１以外の箇所では可視光を透過させないものである。
【００３０】
また，図１には，第１面Ａ側の枠体１２０の貫通窓１２１における左側に開口している部分を，第１面Ａ側の面１１１に開口するフレーム１１０の開口部１１３として示している。一方，第２面Ｂ側の枠体１２０の貫通窓１２１における右側に開口している部分を，第２面Ｂ側の面１１２に開口するフレーム１１０の開口部１１４として示している。
【００３１】
また，図２に，遮光遮音構造体１００の正面図を示す。図２においては，枠体１２０を二点鎖線により示している。つまり，図２に二点鎖線で示す複数の矩形状は，枠体１２０の貫通窓１２１によるフレーム１１０の開口部１１３，１１４である。図１および図２に示すように，枠体１２０は，網目状のものである。そして，２枚の枠体１２０は，それぞれの貫通窓１２１が互いに重なり合う位置で配置されている。このため，フレーム１１０は，重なり合う貫通窓１２１の内側の領域である光透過領域Ｃにおいて，光を透過させることができる。
【００３２】
また，図１に示すように，２枚の枠体１２０は，それぞれフレーム１１０の面１１１，１１２を構成している面とは反対側の面において対面しているとともに，間隔を置いて設けられている。さらに，２枚の枠体１２０は，その対面している面同士において間隔を置いた状態で，枠体接続部１３０により互いに接続されている。本形態のフレーム１１０では，枠体接続部１３０は，図１および図２に示すように，枠体１２０の縁に沿って複数設けられている。フレーム１１０を構成する枠体１２０や枠体接続部１３０の材質としては，樹脂やゴム，あるいはアルミなどを用いることができる。
【００３３】
本形態の遮光遮音構造体１００において，フィルム１５０，１５１はそれぞれ，第１面Ａ側および第２面Ｂ側の枠体１２０の外側の面に貼り付けられている。また，第１面Ａ側および第２面Ｂ側の２枚の枠体１２０の貫通窓１２１はいずれも，フィルム１５０，１５１によって塞がれている。そして，２枚の枠体１２０の間の空間は，フィルム１５０，１５１によって遮光遮音構造体１００の外部と区画されている。その空間を，内部空間１４０として図１に示している。フィルム１５０，１５１はそれぞれ，その外縁部分においてのみ，フレーム１１０に接合されている。
【００３４】
なお，フィルム１５０，１５１は，枠体１２０の網目状の梁の部分において接合されていてもよい。また，図２には枠体１２０の貫通窓１２１の形状を矩形状としたものを示しているが，矩形状に限らず，菱形や平行四辺形としてもよい。あるいは，三角形や六角形などとしてもよい。また，フレーム１１０の図２における上下左右の面はすべて，フィルム１５２が接合されていることにより塞がれている。
【００３５】
また，遮光遮音構造体１００の内部空間１４０には，図１に示すように，ルーバー１６０が設けられている。ルーバー１６０は，遮光遮音構造体１００を，第１面Ａおよび第２面Ｂの一方の面への入射光の他方の面側への透過を遮断する遮光状態と，入射光を透過させることのできる非遮光状態との間で切り替えるための構成である。
【００３６】
ルーバー１６０は，互いに平行に配置されている複数の羽板１６１を有している。羽板１６１は，図１および図２に示すように平板状の部材であり，可視光を透過しない材質のものである。羽板１６１はいずれも，図１中矢印で示す反時計回りに回転することができる。
【００３７】
図２に示すように，複数の羽板１６１はいずれも，図中左右方向の長さが，枠体１２０のうちの貫通窓１２１が形成されている範囲の長さよりも長いものである。また，羽板１６１の図２中右側の端には，羽板プーリー１６２が設けられている。このため，羽板プーリー１６２を回転させることにより，その羽板プーリー１６２と接続されている羽板１６１を回転させることができる。
【００３８】
さらに，図２において右側の上部には，ルーバー１６０を回転駆動するためのルーバー駆動部１８０が設けられている。ルーバー駆動部１８０は，内部空間１４０に駆動プーリー１８１を有しており，駆動プーリー１８１を図１中矢印で示すように反時計回りに回転させることができる。そして，図１および図２に示すように，すべての羽板プーリー１６２および駆動プーリー１８１には，タイミングベルト１７０が巻き掛けられている。
【００３９】
よって，ルーバー駆動部１８０によって駆動プーリー１８１を回転させることにより，すべての羽板１６１を回転させることができる。そして，ルーバー１６０は，羽板１６１を回転させることにより，遮光遮音構造体１００を，遮光状態と非遮光状態との間で切り替えることができる。なお，図１および図２に示すルーバー１６０は，非遮光状態のときのものである。遮光遮音構造体１００の遮光状態および非遮光状態については後に詳述する。
【００４０】
また，遮光遮音構造体１００の図２において右側の下部には，圧力調整部１９０が設けられている。圧力調整部１９０は，内部空間１４０の圧力を調整するためのものである。具体的には，圧力調整部１９０は，内部空間１４０より遮光遮音構造体１００の外部へ空気を排出することにより，内部空間１４０の圧力を低くすることができる。また，圧力調整部１９０は，遮光遮音構造体１００の外部より内部空間１４０へ空気を吸入することにより，内部空間１４０の圧力を高くすることができる。
【００４１】
そして，本形態の遮光遮音構造体１００では，内部空間１４０の圧力を調整することにより，第１面Ａおよび第２面Ｂの一方の面への入射音の他方の面側への透過を遮断する遮音状態と，入射音を透過させることのできる非遮音状態との間で切り替えることができる。具体的には，遮光遮音構造体１００は，内部空間１４０の圧力をほぼ大気圧と同じ圧力とした非減圧状態であるとき，非遮音状態をとることができる。一方，遮光遮音構造体１００は，内部空間１４０の圧力が大気圧未満の負圧である減圧状態であるとき，遮音状態をとることができる。なお，図１は，非減圧状態であり，非遮音状態の遮光遮音構造体１００を示している。遮光遮音構造体１００の遮音状態および非遮音状態については後に詳述する。
【００４２】
次に，遮光遮音構造体１００の遮光状態，非遮光状態，遮音状態，非遮音状態について，図１から図６により説明する。図１は，前述したように，非遮光・非遮音状態の遮光遮音構造体１００を示した図である。また，図３は，遮光・非遮音状態の遮光遮音構造体１００を示した断面図である。図５は，非遮光・遮音状態の遮光遮音構造体１００を示した断面図である。図６は，遮光・遮音状態の遮光遮音構造体１００を示した断面図である。また，図２は，前述したように，非遮光状態の遮光遮音構造体１００を示す正面図である。さらに，図４は，非遮光状態から羽板１６１が回転されたときのルーバー１６０を示しており，遮光状態の遮光遮音構造体１００を示す正面図である。
【００４３】
図１に示す遮光遮音構造体１００は，入射光を透過させることのできる非遮光状態のものである。図１では，ルーバー１６０の羽板１６１はいずれも，遮光遮音構造体１００の第１面Ａおよび第２面Ｂに対して直角とされている。また，本形態の遮光遮音構造体１００において，非遮光状態における羽板１６１はいずれも，図１および図２に示すように，枠体１２０の貫通窓１２１と重ならない位置に配置されている。具体的には，図２に示すように，羽板１６１はいずれも，網目状の枠体１２０の梁に重なっている。また，前述したように，第１面Ａ側および第２面Ｂ側の２枚の枠体１２０の貫通窓１２１を塞いでいるフィルム１５０，１５１はともに，可視光を透過するものである。
【００４４】
このため，遮光遮音構造体１００への入射光は，光透過領域Ｃを透過することができる。すなわち，入射光は，入射側の枠体１２０の貫通窓１２１を通過し，各羽板１６１の間を通って入射側とは反対側の枠体１２０の貫通窓１２１を通過することができる。よって，非遮光状態のときの遮光遮音構造体１００への入射光は，光透過領域Ｃを羽板１６１によって遮られることなく通過し，遮光遮音構造体１００を透過することができる。
【００４５】
また，図１に示す遮光遮音構造体１００は，入射音を透過させることのできる非遮音状態のものである。非遮音状態における遮光遮音構造体１００においては，内部空間１４０の圧力が，ほぼ大気圧と同じ圧力である非減圧状態とされている。このため，後述する遮音状態のときのように，内部空間１４０の圧力によってフィルム１５０，１５１に特段の張力が掛かけられていない状態である。このフィルム１５０，１５１に特段の張力が掛かけられていない状態を，緊張解除状態という。そして，緊張解除状態であるときの遮光遮音構造体１００は，第１面Ａおよび第２面Ｂの一方の面への入射音をほとんど他方の面側へ透過させることができる非遮音状態である。
【００４６】
図３の断面図に示す遮光遮音構造体１００は，遮光・非遮音状態のものである。また，図４の正面図には，遮光状態におけるルーバー１６０を示している。すなわち，図３および図４は，図１および図２に示す非遮光状態からルーバー駆動部１８０により羽板１６１が回転された状態の遮光遮音構造体１００を示している。図３に示すように，各羽板１６１は，遮光遮音構造体１００の第１面Ａおよび第２面Ｂに対してほとんど平行となる角度まで回転されている。
【００４７】
これにより，図３に示すように，フレーム１１０の内部空間１４０におけるフレーム１１０の各開口部１１３，１１４の間は，羽板１６１によって遮られている。そして，図４の正面図に示すように，光透過領域Ｃには羽板１６１が重なっている。羽板１６１は，前述したように，可視光を透過しない材質のものである。よって，遮光状態の遮光遮音構造体１００への入射光は，光透過領域Ｃを通過することができず，遮光遮音構造体１００を透過することができない。
【００４８】
なお，図３に示すように，遮光状態の遮光遮音構造体１００では，フレーム１１０における両側の枠体１２０の間はほとんど羽板１６１によって遮られている。この状態における羽板１６１は，遮光遮音構造体１００の第１面Ａおよび第２面Ｂの一方の面への入射音の他方の面側への伝播を多少，遮ることができる。しかし，羽板１６１による遮音効果はそれほど大きなものではない。また，図３に示す遮光遮音構造体１００は，図１と同様，フィルム１５０，１５１に特段の張力が掛かけられていない緊張解除状態である。このため，入射音についてはほとんど透過させることができる非遮音状態である。
【００４９】
次に，図５に示す遮光遮音構造体１００は，非遮光・遮音状態のものである。つまり，図５に示すように，非遮光状態における羽板１６１はいずれも，遮光遮音構造体１００の第１面Ａおよび第２面Ｂに対して直角とされている。このため，図５に示す遮光遮音構造体１００への入射光は，光透過領域Ｃを透過することができる。
【００５０】
そして，図５に示す遮光遮音構造体１００は，圧力調整部１９０によって内部空間１４０の圧力が大気圧未満の負圧である減圧状態とされている。減圧状態における遮光遮音構造体１００のフィルム１５０，１５１は，内部空間１４０が負圧であることにより，フレーム１１０の面１１１，１１２へと押し付けられている。さらに，減圧状態における遮光遮音構造体１００では，図５に示すように，フィルム１５０，１５１の各貫通窓１２１における中央部分ほど，貫通窓１２１の内部へと突出した形状をしている。このため，減圧状態におけるフィルム１５０，１５１には張力が掛かっている。このフィルム１５０，１５１に張力が掛かっている状態を以下，緊張状態という。
【００５１】
そして，緊張状態の遮光遮音構造体１００は，入射音の透過損失の大きいものである。張力が掛かっていることにより，フィルム１５０，１５１の振動が低減されるからである。さらに，フィルム１５０，１５１に張力が掛かっていることにより，フレーム１１０の振動が抑制されているからである。これにより，緊張状態であるときの遮光遮音構造体１００は，第１面Ａおよび第２面Ｂの一方の面への入射音をほとんど他方の面側へ透過させることがない遮音状態をとることができる。
【００５２】
続いて，図６に示す遮光遮音構造体１００は，遮光・遮音状態のものである。つまり，図６に示すように，各羽板１６１は，遮光遮音構造体１００の第１面Ａおよび第２面Ｂに対してほぼ平行の状態であり，フレーム１１０の各開口部１１３，１１４の間は，羽板１６１によって遮られている。よって，遮光遮音構造体１００への入射光は，光透過領域Ｃを通過できず，遮光遮音構造体１００を透過することができない。
【００５３】
また，図６に示す遮光遮音構造体１００では，内部空間１４０が減圧状態とされているため，フィルム１５０，１５１には張力が掛かっている。よって，図６に示す緊張状態の遮光遮音構造体１００は，第１面Ａおよび第２面Ｂの一方の面への入射音をほとんど他方の面側へ透過させることがない遮音状態である。よって，図１から図６により説明したように，遮光遮音構造体１００は，第１面Ａと第２面Ｂとの間での光および音の伝搬を遮断することができる。
【００５４】
ここで，本形態の遮光遮音構造体１００において，フィルム１５０，１５１はそれぞれ，第１面Ａ側および第２面Ｂ側の枠体１２０の外側の面に貼り付けられている。しかし，フィルム１５０，１５１をそれぞれ，第１面Ａ側および第２面Ｂ側の枠体１２０の内側の面に貼り付けた構成としてもよい。この場合には，圧力調整部１９０によって内部空間１４０の圧力を大気圧よりも高い正圧とすることにより，遮音状態とすることができる。フィルム１５０，１５１の枠体１２０の貫通窓１２１上の部分が内部空間１４０より外側に向かって突出することにより，フィルム１５０，１５１に張力を掛けた緊張状態とすることができるからである。
【００５５】
なお，この場合にも，フィルム１５０，１５１は，枠体１２０の貫通窓１２１の内部へ向かって突出することには変わりはない。また，フィルム１５０，１５１をそれぞれ第１面Ａ側および第２面Ｂ側の枠体１２０の外側に貼り付けた場合と内側に貼り付けた場合のいずれにおいても，内部空間１４０の圧力と大気圧との差の絶対値である差圧を大きくすることにより，緊張状態とすることができる。すなわち，内部空間１４０の圧力と大気圧との差圧を大きくすることにより，遮音状態とすることができる。さらに，内部空間１４０の圧力と大気圧との差圧を小さくすることにより，緊張状態を解除して緊張解除状態とすることができる。すなわち，非遮音状態とすることができる。
【００５６】
また，内部空間１４０を正圧として遮音状態とする場合よりも，内部空間１４０を負圧として遮音状態とする場合の方が好ましい。負圧であるときの内部空間１４０においては，音の空気伝導が低減される。このため，内部空間１４０を負圧にした場合の方が，正圧にした場合よりも，内部空間１４０における音の伝播を低減させ，入射音の透過率を低くすることができるからである。
【００５７】
また，２枚の枠体１２０を接続する枠体接続部は，縁部以外の部分に設けられていてもよい。例えば，図７に示すように，枠体接続部１３１を貫通窓１２１の間に設ける場合には，枠体接続部１３１に対応する羽板１６１の部分に，枠体接続部１３１に接触しないように切り欠いた切欠き部１６３を形成しておけばよい。なお，切欠き部１６３は，図７に示すように，羽板１６１のうちの光透過領域Ｃの外側の部分に形成しておくことが好ましい。遮光状態において，羽板１６１によって確実に光透過領域Ｃを遮ることができるからである。
【００５８】
また，遮光遮音構造体１００のフレーム１１０の枠体１２０や枠体接続部１３０の材質としては，粘弾性を有するものが好ましい。すなわち，枠体１２０や枠体接続部１３０は，外力が付与されたときにはその外力によってある程度変形し，外力が除去されたときには元の形状に戻る性質を有することが好ましい。枠体１２０が粘弾性を有することにより，減圧状態におけるフィルム１５０，１５１と枠体１２０との密着性を良好なものとすることができるからである。また，本形態の遮光遮音構造体１００では，第１面Ａおよび第２面Ｂの一方への入射音は，フレーム１１０の枠体接続部１３０を伝わり，他方の面の側へ透過することがある。このような透過音に対して，枠体接続部１３０が粘弾性を有していることにより，透過損失を大きくすることができるからである。
【００５９】
さらに，粘弾性を有している枠体接続部１３０は，減圧状態においては図１中左右方向に縮んだ状態となる。圧縮荷重を受けるからである。そして，遮光遮音構造体１００の外部から減圧状態の内部空間１４０に空気が進入したときには，その進入した空気の分，縮んでいた枠体接続部１３０が伸びることとなる。これにより，減圧状態の内部空間１４０に多少の空気が進入した場合であっても，フィルム１５０，１５１の張力を維持することができ，遮音効果の低下を防ぐことができるからである。
【００６０】
また，遮光遮音構造体１００は，フィルム１５０，１５１に張力を掛けることにより遮音状態とすることのできるものである。フィルム１５０，１５１は薄膜であり，その厚みが厚いものではない。また，フレーム１１０は，緊張状態におけるフィルム１５０，１５１の張力を支持できる程度の剛性を有していればよい。よって，遮光遮音構造体１００は，軽量で厚みの薄いもので済む。
【００６１】
また，遮光遮音構造体１００では，内部空間１４０の圧力を調整することにより，入射音の透過率を調整することができる。具体的には，遮光遮音構造体１００は，内部空間１４０の圧力が低いほど，入射音の透過率を低くすることができる。内部空間１４０の圧力が低いほど，フィルム１５０，１５１に掛かる張力が大きくなり，フィルム１５０，１５１やフレーム１１０の振動が低減されるからである。また，内部空間１４０においては，圧力が低いほど，音の空気伝導が低減されるからである。
【００６２】
さらに，遮光遮音構造体１００では，羽板１６１の角度を調整することにより，入射光の透過率を調整することができる。羽板１６１を第１面Ａおよび第２面Ｂに対して直角とした状態からほとんど平行となる状態まで回転させたとき，光透過領域Ｃの羽板１６１により遮られる面積は徐々に大きなものとなるからである。
【００６３】
また，遮光のための構成である羽板１６１と遮音のための構成であるフィルム１５０，１５１とは，接触しないように間隔を設けて配置されていることが好ましい。つまり，本形態の羽板１６１は，遮光状態から非遮光状態となるまでの間，および，非遮光状態から遮光状態となるまでの間，緊張状態および緊張解除状態のいずれの状態のフィルム１５０，１５１にも接触しないものである。これにより，羽板１６１がフィルム１５０，１５１に当たることにより，フィルム１５０，１５１が破損してしまうおそれはない。また，緊張状態のフィルム１５０，１５１に羽板１６１が当たることにより，フィルム１５０，１５１の緊張状態が解除されてしまうおそれもない。さらには，いずれも緊張状態のフィルム１５０，１５１の間を，フィルム１５０，１５１に羽板１６１が接触することによって音が伝達されてしまうおそれもない。
【００６４】
以上詳細に説明したように，遮光遮音構造体１００は，貫通窓１２１が形成された２枚の枠体１２０を有するフレーム１１０の両面にフィルム１５０，１５１を貼り付けたものである。そして，２枚の枠体１２０の間の内部空間１４０に，遮光状態と非遮光状態とを切り替えることができるルーバー１６０を有している。そして，内部空間１４０を減圧状態とし，フィルム１５０，１５１に張力の掛かった緊張状態とすることにより，遮音状態をとることができる。また，内部空間１４０を非減圧状態としてフィルム１５０，１５１の緊張状態を解除することにより，非遮音状態とすることができる。よって，入射光および入射音の透過率を調整することができるとともに，軽量で厚みの薄い遮光遮音構造体が実現されている。
【００６５】
なお，本実施の形態は単なる例示にすぎず，本発明を何ら限定するものではない。従って本発明は当然に，その要旨を逸脱しない範囲内で種々の改良，変形が可能である。例えば，上記の実施形態では，フレーム１１０の外側にフィルム１５０，１５１，１５２を貼り付けた構成について説明している。しかし，例えば，フレーム１１０の外側に袋状のフィルムをかぶせた構成とすることもできる。この場合，袋状のフィルムとフレーム１１０とは接合されていなくてもよい。また例えば，光透過領域Ｃを遮るための構成である羽板１６１はフィルム１５０，１５１よりも光の透過率の低い材質のものであればよく，半透明のものを用いてもよい。枠体１２０についても，フィルム１５０，１５１よりも光の透過率の低い材質のものであればよい。
【００６６】
また例えば，ルーバー１６０の回転はルーバー駆動部１８０に限らず，外部にルーバー１６０を回転させるためのハンドルを設けておき，使用者がそのハンドルによってルーバー１６０を回転させてもよい。また例えば，遮光状態と非遮光状態との切り替えは当然，ルーバー１６０に限られるものではない。すなわち，電気的にスイッチングできるエレクトロクロミックガラス，温度によって変化するサーモクロミックガラス，周囲の雰囲気によって変化するガスクロミックガラスなどの調光ガラスを遮光部として内部空間１４０に設けてもよい。
【００６７】
［第２の形態］
第２の形態について説明する。本形態に係る遮光遮音構造体は，内部空間の圧力を異なる圧力とすることにより，遮光状態と非遮光状態との間で切り替えることのできるものである。すなわち，第２の形態の遮光遮音構造体は，内部空間の圧力を減圧状態および非減圧状態との間で切り替えることにより，遮光状態，非遮光状態，遮音状態，非遮音状態を制御することができるものである。
【００６８】
第２の形態に係る遮光遮音構造体２００の正面図を，図８に示す。本形態の遮光遮音構造体２００は，第１の形態の遮光遮音構造体１００と，ルーバー１６０を回転駆動する構成以外の構成については同じである。図８においても，第１の形態に係る図２と同様，遮光遮音構造体２００の枠体１２０を二点鎖線により示している。また，本形態の遮光遮音構造体２００は，第１の形態と異なり，ルーバー１６０を回転駆動するルーバー駆動部１８０が設けられていないものである。そして，タイミングベルト１７０が巻き掛けられている本形態の駆動プーリー２８１には，図８に示すように，ピニオン２８２が接続されている。ピニオン２８２は，駆動プーリー２８１と一体となって回転することのできるものである。図８に示すように，本形態に係る遮光遮音構造体２００は，右上にルーバー１６０を回転させるためのルーバー回転部２８０を有している。
【００６９】
図９は，図８中のＸ−Ｘ位置における断面図であり，ルーバー回転部２８０を説明するための図である。ルーバー回転部２８０は，図９に示すように，シリンダー２１０と，シリンダー２１０内部に配置されているピストン２２０およびバネ２３０と，シリンダー２１０の図中上面の開口を塞ぐための蓋部材２４０とを有している。シリンダー２１０は，筒部２１１と底部２１２とにより構成されている有底円筒形状の部材である。また，シリンダー２１０の筒部２１１には貫通孔２１３が，底部２１２には貫通孔２１４がそれぞれ形成されている。シリンダー２１０の内部の空間は，筒部２１１の貫通孔２１３により，内部空間１４０と連通されている。
【００７０】
ピストン２２０は，いずれも円筒形状の受圧部２２１，ロッド部２２２，ストッパー部２２４よりなるものである。ピストン２２０のうち受圧部２２１およびストッパー部２２４は，シリンダー２１０の底部２１２の貫通孔２１４よりも大径の部分であり，シリンダー２１０の内部に位置している。一方，ピストン２２０のロッド部２２２については，シリンダー２１０の底部２１２に形成されている貫通孔２１４とほぼ同径の部分であり，シリンダー２１０から貫通孔２１４を通って内部空間１４０内へと図９中下向きに突き出ている。
【００７１】
受圧部２２１はロッド部２２２およびストッパー部２２４よりも大径の部分であり，その外周面において，シリンダー２１０の筒部２１１の内周面に摺動するものである。つまり，ピストン２２０は，シリンダー２１０の内周面に沿って，図９中上下に移動することができる。
【００７２】
ロッド部２２２には，図９に示すように，ラック２２３が形成されている。また，ラック２２３は，ピニオン２８２と噛み合っている。よって，ピストン２２０が図９中上下に移動することにより，ピニオン２８２が回転する。また，ストッパー部２２４は，ピストン２２０が図９中実線で示す原位置から下向きに移動した場合に，その下面２２５がシリンダー２１０の底部２１２の上面に突き当たることにより，ピストン２２０の移動端を規定するものである。図９には，移動端にあるときのピストン２２０を二点鎖線により示している。
【００７３】
また，バネ２３０は，図９に示すように，ピストン２２０の受圧部２２１の下面とシリンダー２１０の底部２１２の上面との間に配置されている。そして，バネ２３０は，ピストン２２０を上向きに付勢するものである。図９では，ピストン２２０は，その受圧部２２１の下面がバネ２３０により上向きに付勢されていることにより，上面が蓋部材２４０に押し付けられている。また，蓋部材２４０には，ピストン２２０の受圧部２２１よりも小径の貫通孔２４１が形成されている。この貫通孔２４１により，シリンダー２１０の内側の空間は，遮光遮音構造体２００の外側と連通されている。
【００７４】
そして，本形態の遮光遮音構造体２００においても，圧力調整部１９０によって内部空間１４０の圧力の調整を行うことにより，遮音状態と非遮音状態とをとることができる。つまり，非減圧状態であるときには，フィルム１５０，１５１には特段の張力が掛けられていない緊張解除状態である。そして，緊張解除状態の遮光遮音構造体２００は，非遮音状態をとることができる。一方，減圧状態であるときには，フィルム１５０，１５１の各貫通窓１２１上の部分がその内部へと突出することにより，フィルム１５０，１５１は張力が掛かった緊張状態となる。そして，緊張状態の遮光遮音構造体２００は，遮音状態をとることができる。
【００７５】
さらに，本形態の遮光遮音構造体２００においては，圧力調整部１９０によって内部空間１４０の圧力の調整を行うことにより，遮光状態と非遮光状態とをとることもできる。図８および図９に実線で示すのは，非減圧状態のルーバー回転部２８０である。非減圧状態では，ルーバー回転部２８０のピストン２２０は，バネ２３０によって付勢されていることにより，図９に実線で示す原位置にある。そして，ピストン２２０が原位置にあるときの遮光遮音構造体２００は，図８に示すように，羽板１６１が光透過領域Ｃに重なっていないため，非遮光状態である。
【００７６】
一方，内部空間１４０が負圧である減圧状態のときには，ルーバー回転部２８０のピストン２２０は，原位置から図９において下向きに移動する。内部空間１４０が負圧であることにより，受圧部２２１の下面側の圧力が，受圧部２２１の上面側の圧力よりも低くなるため，ピストン２２０が内部空間１４０側へと引っ張られるからである。具体的には，受圧部２２１の上面側と下面側との圧力差によるピストン２２０を下向きに引っ張る引張力が，バネ２３０によるピストン２２０を上向きに押し付ける押圧力よりも大きくなったとき，ピストン２２０は下向きに移動する。
【００７７】
ルーバー回転部２８０のピストン２２０が図９において下向きに移動することにより，そのラック２２３と噛み合っているピニオン２８２は図中反時計回りに回転する。そして，ピニオン２８２が回転することにより，タイミングベルト１７０を介して羽板プーリー１６２が回転され，羽板１６１が回転される。
【００７８】
また，ルーバー回転部２８０のピストン２２０が図９に二点鎖線で示す移動端にあるとき，羽板１６１は，図３に示す第１の形態の遮光遮音構造体１００と同様，第１面Ａおよび第２面Ｂに対してほとんど平行となる角度まで回転される。つまり，本形態の遮光遮音構造体２００においても，図４に示す第１の形態の遮光遮音構造体１００と同様，光透過領域Ｃには羽板１６１が重なることとなる。これにより，減圧状態の遮光遮音構造体２００は，入射光が光透過領域Ｃを通過することができない遮光状態をとることができる。
【００７９】
このように，本形態の遮光遮音構造体２００は，非減圧状態では，非遮光・非遮音状態をとることができる。また，遮光遮音構造体２００は，減圧状態では，遮光・遮音状態をとることができる。すなわち，遮光遮音構造体２００は，内部空間１４０の圧力を減圧状態と非減圧状態との間で切り替えることにより，遮光・遮音状態と非遮光・非遮音状態とをとることができる。
【００８０】
また，遮光遮音構造体２００においても，遮光・遮音状態および非遮光・非遮音状態以外にも，遮光・非遮音状態または非遮光・遮音状態をとることができる。図１０は，内部空間１４０の圧力とピストン２２０の位置との関係を示した図である。
【００８１】
図１０の横軸の内部空間１４０の圧力を示すＰ０〜Ｐ６のうち，Ｐ０は大気圧と同じ圧力である。さらに，Ｐ０〜Ｐ６はこの順で低い圧力である。また，遮光遮音構造体２００は，内部空間１４０の圧力が低いほど，入射音の透過率が低いものである。そして，図１０のＰ３は，遮光遮音構造体２００の遮音状態と非遮音状態との境目の圧力を示している。つまり，内部空間１４０の圧力がＰ３よりも高い場合，その遮光遮音構造体２００は非遮音状態である。一方，内部空間１４０の圧力がＰ３以下である場合，その遮光遮音構造体２００は遮音状態である。
【００８２】
また，図１０の縦軸に示すピストン２２０の位置については，図９に実線で示す原位置と，図９に二点鎖線で示す移動端とを示している。また，原位置と移動端との中間の位置を中間位置として示している。ピストン２２０が原位置にある場合，その遮光遮音構造体２００は非遮光状態である。一方，ピストン２２０が移動端にある場合，その遮光遮音構造体２００は遮光状態である。そして，中間位置は，遮光遮音構造体２００の遮光状態と非遮光状態との境目の位置を示している。つまり，ピストン２２０が中間位置よりも原位置側にある場合，その遮光遮音構造体２００は入射光の遮光率の低い非遮光状態である。一方，ピストン２２０が中間位置から移動端までの間にある場合，その遮光遮音構造体２００は入射光の遮光率の高い遮光状態である。
【００８３】
図１０には，Ｄ１のグラフとＤ２のグラフとを示している。Ｄ１のグラフは遮光・非遮音状態をとることができる場合を，Ｄ２のグラフは非遮光・遮音状態をとることができる場合をそれぞれ示している。なお，Ｄ１のグラフおよびＤ２のグラフはともに，内部空間１４０の圧力がＰ０のときには非遮光・非遮音状態であり，内部空間１４０の圧力がＰ６のときには遮光・遮音状態である。
【００８４】
そして，Ｄ１のグラフでは，ピストン２２０は，内部空間１４０の圧力がＰ０からＰ１であるときに原位置から中間位置まで移動し，Ｐ１からＰ２であるときに中間位置から移動端まで移動している。つまり，内部空間１４０がＰ１よりも高い圧力であるとき，非遮光状態である。また，内部空間１４０がＰ１以下の圧力であるとき，遮光状態である。Ｐ１は，遮音状態をとるＰ３よりも高い圧力である。よって，Ｄ１のグラフにおいては，内部空間１４０の圧力がＰ３よりも高く，Ｐ１以下の範囲内である場合に，遮光・非遮音状態をとることができる。また，Ｄ１のグラフにおいては，内部空間１４０の圧力をＰ０からＰ２の範囲内で調整することにより，非遮音状態を維持しつつ，入射光の透過率を調整することができる。
【００８５】
一方，Ｄ２のグラフでは，ピストン２２０は，内部空間１４０の圧力がＰ４からＰ５であるときに原位置から中間位置まで移動し，Ｐ５からＰ６であるときに中間位置から移動端まで移動している。つまり，内部空間１４０がＰ５よりも高い圧力であるとき，非遮光状態である。また，内部空間１４０がＰ５以下の圧力であるとき，遮光状態である。Ｐ５はＰ３よりも低い圧力である。よって，Ｄ２のグラフにおいては，内部空間１４０の圧力がＰ５よりも高く，Ｐ３以下の範囲内である場合に，非遮光・遮音状態をとることができる。また，Ｄ２のグラフにおいては，内部空間１４０の圧力をＰ４からＰ６の範囲内で調整することにより，遮音状態を維持しつつ，入射光の透過率を調整することができる。
【００８６】
遮光遮音構造体２００では，例えば，ルーバー回転部２８０のバネ２３０を異なるものとすること等により，内部空間１４０の圧力とピストン２２０の位置との関係をそれぞれ図１０のＤ１，Ｄ２のグラフに示すような関係とすることができる。具体的には，遮光遮音構造体２００における内部空間１４０の圧力とピストン２２０の位置との関係をＤ２のグラフのようにする場合には，Ｄ１のグラフのようにする場合よりも，バネ２３０として線径の太いものを用いることが考えられる。
【００８７】
さらに，遮光遮音構造体２００において，図９に示すルーバー回転部２８０に替えて，図１１に示すルーバー回転部２８３を用いてもよい。図１１に示すルーバー回転部２８３は，図９に示すルーバー回転部２８０のピストン２２０とは異なるピストン２５０を有している。
【００８８】
すなわち，ピストン２５０は，図９のピストン２２０と同様，シリンダー２１０の筒部２１１の内周面に摺動する受圧部２５１，ラック２５３が形成されているロッド部２５２，下面２５５によりピストン２５０の移動端を規定するストッパー部２５４を有している。そして，ピストン２５０は，図９に示すピストン２２０と異なり，受圧部２５１の上面に移動端調整ロッド２５６を有している。移動端調整ロッド２５６は，蓋部材２４０の貫通孔２４１よりも小径の部分であり，貫通孔２４１を通って遮光遮音構造体２００の外部に突出している。
【００８９】
また，ピストン２５０の移動端調整ロッド２５６には，図１１に示すように，セットカラー２６０が設けられている。セットカラー２６０は，蓋部材２４０の貫通孔２４１よりも大径のものであり，レバー２６１を有している。セットカラー２６０は，移動端調整ロッド２５６を締め付によりクランプすることのできるものである。また，レバー２６１を回転させることにより，セットカラー２６０をアンクランプさせることができる。このため，セットカラー２６０は，レバー２６１を操作することにより，移動端調整ロッド２５６の任意の位置に固定することができるものである。
【００９０】
そして，図１１には，実線により移動端調整ロッド２５６の上方の位置に固定されているセットカラー２６０が描かれている。図１１に実線で示すセットカラー２６０と蓋部材２４０との隙間は，ピストン２５０のストッパー部２５４の下面２５５とシリンダー２１０の底部２１２との隙間以上のものである。この場合，内部空間１４０が減圧状態とされることにより，ピストン２５０は，ストッパー部２５４の下面２５５がシリンダー２１０の底部２１２に突き当たる移動端まで移動することができる。
【００９１】
一方，セットカラー２６０が図１１に二点鎖線で示す移動端調整ロッド２５６の下方の位置に固定されている場合，ピストン２５０は移動端まで移動することができない。ピストン２５０が内部空間１４０側へと引っ張られて移動した際には，セットカラー２６０が蓋部材２４０に突き当たるからである。
【００９２】
よって，図１１に示すルーバー回転部２８３を用いた遮光遮音構造体２００においては，入射光の透過率を一定程度に保ったまま，非遮音状態から遮音状態へと切り替えることができる。具体的には，例えば，図１０のＤ１で示すようなものであっても，セットカラー２６０を図１１に二点鎖線で示すように移動端調整ロッド２５６の下方の位置に固定することにより，非遮光状態のまま，内部空間１４０の圧力を低くして遮音状態とすることができる。
【００９３】
また，図１０のＤ２で示すようなものであっても，セットカラー２６０を移動端調整ロッド２５６の図１１中下方の位置に固定することにより，非遮光状態のまま，内部空間１４０の圧力をＰ４よりも低くすることができる。つまり，非遮光状態のまま，内部空間１４０の圧力をＰ４よりも低くして，より入射音の透過率の低い遮音状態とすることができる。
【００９４】
以上詳細に説明したように，遮光遮音構造体２００は，内部空間１４０の圧力と大気圧とを受ける面を有するピストンと，ピストンを原位置に向けて付勢するバネ２３０とを有する。ピストンは，内部空間１４０が減圧された場合には，圧力の低い内部空間１４０側の移動端へと移動する。そして，ピストンが原位置と移動端との間を移動することにより，ルーバー１６０は遮光状態と非遮光状態とを切り替えることができる。すなわち，遮光遮音構造体２００は，内部空間１４０の圧力により，遮光状態，非遮光状態，遮音状態，非遮音状態を制御することができる。
【００９５】
なお，本実施の形態は単なる例示にすぎず，本発明を何ら限定するものではない。従って本発明は当然に，その要旨を逸脱しない範囲内で種々の改良，変形が可能である。例えば，上記の遮光遮音構造体２００のルーバー１６０は，非減圧状態で非遮光状態をとり，減圧状態で遮光状態をとるものである。しかし，減圧状態で非遮光状態をとり，非減圧状態で遮光状態をとるようにしてもよい。この場合，遮光遮音構造体は，非減圧状態で遮光非遮音状態をとり，減圧状態で非遮光・遮音状態をとることができる。そして具体的には，ルーバー回転部２８０のピストン２２０が原位置にあるとき，羽板１６１が第１面Ａおよび第２面Ｂに対してほぼ平行の状態となるような構成とする。さらに，ピストン２２０が移動端にあるとき，羽板１６１が第１面Ａおよび第２面Ｂに対してほぼ直角の状態となるような構成とすればよい。また例えば，第１の形態で説明したように，フィルム１５０，１５１をそれぞれ第１面Ａ側および第２面Ｂ側の枠体１２０の内側に貼り付けた構成としてもよい。
【００９６】
［第３の形態］
第３の形態について説明する。本形態に係る遮光遮音構造体は，第２の形態と同様，内部空間の圧力を調整することにより，遮光状態，非遮光状態，遮音状態，非遮光状態を制御することができるものである。しかし，本形態の遮光遮音構造体は，第２の形態とは異なり，フレームにおける２枚の枠体の間隔により，遮光状態と非遮光状態との間で切り替えを行うことのできるものである。
【００９７】
第３の形態に係る遮光遮音構造体３００の断面図を，図１２に示す。また，図１３に，遮光遮音構造体３００の正面図を示している。図１３においても，上記の形態に係る正面図と同様，遮光遮音構造体３００の枠体３２０を二点鎖線により示している。図１２および図１３はともに，非減圧状態における遮光遮音構造体３００を示している。そして，本形態においても，非減圧状態における遮光遮音構造体３００は，非遮光・非遮音状態である。そして，本形態の遮光遮音構造体３００は，遮光状態をとるための構成が，ルーバーによる上記の形態とは異なるものである。
【００９８】
本形態の遮光遮音構造体３００は，上記の形態とは異なるフレーム３１０を有する。図１２に示すように，フレーム３１０の第１面Ａ側の面３１１および第２面Ｂ側の面３１２にはそれぞれ，フィルム１５０，１５１が貼り付けられている。また，枠体３２０はいずれも複数の貫通窓３２１が形成されており，網目状の平板部材である。各貫通窓３２１について，第１面Ａ側に開口している部分が開口部３１３であり，第２面Ｂ側に開口している部分が開口部３１４である。また，第１面Ａ側および第２面Ｂ側の２枚の枠体３２０の貫通窓３２１はいずれも，フィルム１５０，１５１によって塞がれている。また，図１３に示すように，フレーム３１０の上下左右の面はすべて，フィルム３５２が接合されていることにより塞がれている。
【００９９】
また，フレーム３１０は，図１２に示すように，上記の形態とは異なり，その第１面Ａ側の面３１１および第２面Ｂ側の面３１２をそれぞれ構成する２枚の枠体３２０の間に，２枚の枠体３２０を互いに遠ざける向きに付勢する複数のバネ３３０を有している。フレーム３１０において，２枚の枠体３２０は，バネ３３０を縮めつつ，互いに近づく向きに移動することができる。つまり，２枚の枠体３２０の間隔は可変である。図１２には，バネ３３０が伸びた原位置におけるフレーム３１０を示している。つまり，非減圧状態においては，フレーム３１０は，２枚の枠体３２０が互いに離れた原位置にある。
【０１００】
さらに，図１２に示すように，左側の第１面Ａ側の枠体３２０の内部空間３４０側の面には，円筒部３３１が設けられている。また，右側の第２面Ｂ側の枠体３２０の内部空間３４０側の面には，円柱部３３２が設けられている。バネ３３０，円筒部３３１，円柱部３３２は，図１３に示すように，遮光遮音構造体３００の四隅に設けられている。
【０１０１】
図１２に示すように，円柱部３３２は，その先端側が円筒部３３１の内部に挿入されており，円筒部３３１の内壁面に摺動することができるものである。円筒部３３１および円柱部３３２の図中左右方向の長さはともに，原位置における２枚の枠体３２０の間隔よりも短いものである。また，円柱部３３２の長さは，円筒部３３１の長さよりも短くされている。そして，フレーム３１０が２枚の枠体３２０が離れた原位置にあるときには，円筒部３３１の先端３３３と，右側の第２面Ｂ側の枠体３２０との間には隙間がある。この隙間がなくなるまで２枚の枠体３２０が互いに近づいた位置が，フレーム３１０の２枚の枠体３２０の移動端である。
【０１０２】
また，本形態の遮光遮音構造体３００は，内部空間３４０に複数の遮光板３６０，３７０を有している。遮光板３６０,３７０は，遮光遮音構造体３００における遮光状態をとるための構成であり，可視光を透過しない材質のものである。また，遮光板３６０,３７０は，弾性を有する部材である。遮光板３６０，３７０はそれぞれ，図１２における左右の両端の端部３６３，３７３と，左右の端部３６３，３７３に挟まれた中央の中央部３６１，３７１とを有している。遮光板３６０，３７０はいずれも，図１２に示すように，左右の端部３６３，３７３の中央部３６１，３７１とは反対側の接続部３６２，３７２において２枚の枠体３２０にそれぞれ固定されている。
【０１０３】
また，遮光板３６０は，図１２に示すように，中央部３６１が，接続部３６２より上向きにやや突き出た形状をしている。遮光板３７０は，中央部３７１が，接続部３７２より下向きにやや突き出た形状をしている。
【０１０４】
さらに，図１３に示すように，遮光板３６０は，光透過領域Ｃの外側に光透過領域Ｃの下側に沿って，接続部３６２よりも上向きに突き出た中央部３６１を光透過領域Ｃへ向けた状態で設けられている。遮光板３７０は，光透過領域Ｃの外側に光透過領域Ｃの上側に沿って，接続部３７２よりも下向きに突き出た中央部３７１を光透過領域Ｃへ向けた状態で設けられている。そして，遮光板３６０，３７０はともに，図１３における左右方向の長さが，枠体３２０のうちの貫通窓３２１が形成されている範囲の長さよりも長いものである。
【０１０５】
そして，本形態の遮光遮音構造体３００においても，圧力調整部１９０によって内部空間３４０の圧力の調整を行うことにより，遮音状態と非遮音状態とをとることができる。つまり，非減圧状態であるときには，フィルム１５０，１５１には特段の張力が掛けられていない緊張解除状態である。そして，緊張解除状態の遮光遮音構造体３００は，非遮音状態をとることができる。一方，減圧状態であるときには，フィルム１５０，１５１の各貫通窓３２１上の部分がその内部へと突出することにより，フィルム１５０，１５１は張力が掛かった緊張状態となる。そして，緊張状態の遮光遮音構造体３００は，遮音状態をとることができる。
【０１０６】
さらに，本形態の遮光遮音構造体３００においては，圧力調整部１９０によって内部空間３４０の圧力の調整を行うことにより，遮光状態と非遮光状態とをとることもできる。前述したように，図１２および図１３に示すのは，非減圧状態のときの遮光遮音構造体３００である。また，非減圧状態におけるフレーム３１０は，２枚の枠体３２０がバネ３３０の付勢によって互いに離れた原位置にある。
【０１０７】
そして，２枚の枠体３２０が原位置にある遮光遮音構造体３００では，互いに離れた２枚の枠体３２０にそれぞれ接続部３６２，３７２が固定されている遮光板３６０，３７０はいずれも，図１２に示すように，左右方向に引っ張られて伸びている。このため，２枚の枠体３２０が原位置にあるときの遮光遮音構造体３００は，図１３に示すように，遮光板３６０，３７０が光透過領域Ｃに重なっていないため，非遮光状態である。
【０１０８】
これに対し，内部空間３４０を負圧とした減圧状態の遮光遮音構造体３００を図１４および図１５に示す。図１４は断面図，図１５は正面図である。図１４に示すように，減圧状態のときの遮光遮音構造体３００では，フレーム３１０の２枚の枠体３２０は，非減圧状態のときよりも互いに近い移動端にある。すなわち，２枚の枠体３２０は，円筒部３３１の先端３３３と第２面Ｂ側の枠体３２０とが接触するまで接近している。内部空間３４０の圧力が外部の大気圧よりも低くなるため，２枚の枠体３２０とそれぞれに貼り付けられているフィルム１５０，１５１が，内部空間３４０側へと引っ張られるからである。具体的には，内部空間３４０の圧力と大気圧との圧力差により２枚の枠体３２０を互いに近づける向きに引っ張る引張力が，複数のバネ３３０による２枚の枠体３２０を互いに遠ざける向きの押圧力よりも大きくなったとき，２枚の枠体３２０は互いに近づく向きに移動する。
【０１０９】
また，図１４に示すように，２枚の枠体３２０が移動端にある遮光遮音構造体３００では，遮光板３６０の中央部３６１は，２枚の枠体３２０が原位置にあるときよりも上向きに突き出ている。また，遮光板３７０については，その中央部３７１が，２枚の枠体３２０が原位置にあるときよりも下向きに突き出ている。２枚の枠体３２０の間隔が原位置よりも狭い移動端では，遮光板３６０，３７０は，それぞれの接続部３６２，３７２同士が近づく方向に圧迫されることにより，たわんでいるからである。さらに，図１４に示すように，２枚の枠体３２０が移動端にあるときには，上下に突き出ている遮光板３６０の中央部３６１と遮光板３７０の中央部３７１とは，くっついている。
【０１１０】
そして，２枚の枠体３２０が移動端にあるとき，図１５に示すように，遮光板３６０，３７０が光透過領域Ｃに重なっている。これにより，減圧状態における遮光遮音構造体３００は，入射光が光透過領域Ｃを通過することができない遮光状態をとることができる。また，フレーム３１０の２枚の枠体３２０が原位置から移動端まで近づくとき，遮光板３６０，３７０の中央部３６１，３７１はともに，徐々に光透過領域Ｃへと突出する。つまり，フレーム３１０の２枚の枠体３２０が原位置よりも移動端に近い位置にあるときほど，光透過領域Ｃを透過することができる光の量は少なくなる。このため，内部空間３４０の圧力を調整することにより，遮光遮音構造体３００の入射光の透過率を調整することができる。
【０１１１】
このように，本形態の遮光遮音構造体３００は，非減圧状態では，非遮光・非遮音状態をとることができる。また，遮光遮音構造体３００は，減圧状態では，遮光・遮音状態をとることができる。すなわち，遮光遮音構造体３００は，内部空間３４０の圧力を減圧状態と非減圧状態との間で切り替えることにより，遮光・遮音状態と非遮光・非遮音状態とをとることができる。
【０１１２】
また，遮光遮音構造体３００においても，遮光・遮音状態および非遮光・非遮音状態以外にも，遮光・非遮音状態または非遮光・遮音状態をとることができる。図１６は，内部空間３４０の圧力とフレーム３１０の２枚の枠体３２０の位置との関係を示した図である。
【０１１３】
図１６の横軸の内部空間３４０の圧力を示すＰ０〜Ｐ６については，図１０と同様である。つまり，Ｐ０は大気圧と同じ圧力であり，Ｐ０〜Ｐ６はこの順で低い圧力である。また，Ｐ３は，遮光遮音構造体３００の遮音状態と非遮音状態との境目の圧力を示している。
【０１１４】
また，図１６の縦軸に示すフレーム３１０の２枚の枠体３２０の位置については，図１２および図１３に示す原位置と，図１４および図１５に示す移動端とを示している。さらに，原位置と移動端との中間の位置を中間位置として示している。２枚の枠体３２０が原位置にある場合，その遮光遮音構造体３００は非遮光状態である。一方，２枚の枠体３２０が移動端にある場合，その遮光遮音構造体３００は遮光状態である。そして，中間位置は，遮光遮音構造体３００の遮光状態と非遮光状態との境目の位置を示している。つまり，２枚の枠体３２０が中間位置よりも離れた原位置側にある場合，その遮光遮音構造体３００は入射光の遮光率の低い非遮光状態である。一方，２枚の枠体３２０が中間位置から移動端までの間にある場合，その遮光遮音構造体３００は入射光の遮光率の高い遮光状態である。
【０１１５】
また，図１６においても，Ｄ１のグラフとＤ２のグラフとを示している。Ｄ１のグラフは遮光・非遮音状態をとることができる場合を，Ｄ２のグラフは非遮光・遮音状態をとることができる場合をそれぞれ示している。なお，Ｄ１のグラフおよびＤ２のグラフはともに，内部空間３４０の圧力がＰ０のときには非遮光・非遮音状態であり，内部空間３４０の圧力がＰ６のときには遮光・遮音状態である。
【０１１６】
そして，Ｄ１のグラフでは，２枚の枠体３２０は，内部空間３４０の圧力がＰ０からＰ１であるときに原位置から中間位置まで移動し，Ｐ１からＰ２であるときに中間位置から移動端まで移動している。つまり，内部空間３４０がＰ１よりも高い圧力であるとき，非遮光状態である。また，内部空間３４０がＰ１以下の圧力であるとき，遮光状態である。Ｐ１は，遮音状態をとるＰ３よりも高い圧力である。よって，Ｄ１のグラフにおいては，内部空間３４０の圧力がＰ３よりも高く，Ｐ１以下の範囲内である場合に，遮光・非遮音状態をとることができる。また，Ｄ１のグラフにおいては，内部空間３４０の圧力をＰ０からＰ２の範囲内で調整することにより，非遮音状態を維持しつつ，入射光の透過率を調整することができる。
【０１１７】
一方，Ｄ２のグラフでは，２枚の枠体３２０は，内部空間３４０の圧力がＰ４からＰ５であるときに原位置から中間位置まで移動し，Ｐ５からＰ６であるときに中間位置から移動端まで移動している。つまり，内部空間３４０がＰ５よりも高い圧力であるとき，非遮光状態である。また，内部空間３４０がＰ５以下の圧力であるとき，遮光状態である。Ｐ５はＰ３よりも低い圧力である。よって，Ｄ２のグラフにおいては，内部空間３４０の圧力がＰ５よりも高く，Ｐ３以下の範囲内である場合に，非遮光・遮音状態をとることができる。また，Ｄ２のグラフにおいては，内部空間３４０の圧力をＰ４からＰ６の範囲内で調整することにより，遮音状態を維持しつつ，入射光の透過率を調整することができる。
【０１１８】
遮光遮音構造体３００では，例えば，バネ３３０を異なるものとすること等により，内部空間３４０の圧力と２枚の枠体３２０の位置との関係をそれぞれ，図１６のＤ１，Ｄ２のグラフに示すような関係とすることができる。具体的には，遮光遮音構造体３００における内部空間３４０の圧力と２枚の枠体３２０の位置との関係をＤ２のグラフのようにする場合には，Ｄ１のグラフのようにする場合よりも，バネ３３０として線径の太いものを用いることが考えられる。
【０１１９】
以上詳細に説明したように，遮光遮音構造体３００は，フレーム３１０の２枚の枠体３２０の間隔が可変である。また，内部空間３４０に複数の遮光板３６０，３７０を有している。そして，２枚の枠体３２０が原位置と移動端との間を移動することにより，遮光板３６０，３７０によって遮光状態と非遮光状態とを切り替えることができる。すなわち，遮光遮音構造体３００は，内部空間３４０の圧力によって間隔が可変する２枚の枠体３２０により，遮光状態，非遮光状態，遮音状態，非遮音状態を制御することができる。
【０１２０】
なお，本実施の形態は単なる例示にすぎず，本発明を何ら限定するものではない。従って本発明は当然に，その要旨を逸脱しない範囲内で種々の改良，変形が可能である。例えば，光透過領域Ｃを遮るための構成である遮光板３６０，３７０はフィルム１５０，１５１よりも光の透過率の低い材質のものであればよく，半透明のものを用いてもよい。また例えば，上記の遮光遮音構造体３００の遮光板３６０，３７０は，非減圧状態で非遮光状態をとり，減圧状態で遮光状態をとるものである。しかし，減圧状態で非遮光状態をとり，非減圧状態で遮光状態をとるようにしてもよい。そのような構成としては，例えば，クランク型のリンク機構を用いることが考えられる。そして，クランクを，最も伸びたときの死点とは反対の死点に近い状態で２枚の枠体３２０に接続することにより，減圧状態よりも非減圧状態で，光透過領域Ｃへと突出する遮光部を構成することができる。すなわち，また例えば，第１の形態で説明したように，フィルム１５０，１５１をそれぞれ第１面Ａ側および第２面Ｂ側の枠体３２０の内側に貼り付けた構成としてもよい。
【０１２１】
［第４の形態］
第４の形態について説明する。本形態に係る遮光遮音構造体は，第２の形態および第３の形態と同様，内部空間の圧力により，遮光状態，非遮光状態，遮音状態，非遮光状態をとることができるものである。また，本形態の遮光遮音構造体は，第３の形態と同様の構成のフレームを有する。しかし，本形態の遮光遮音構造体は，遮光状態をとるための構成が，第３の形態とは異なるものである。
【０１２２】
第４の形態に係る遮光遮音構造体４００の断面図を，図１７に示す。また，図１８に，遮光遮音構造体４００の正面図を示している。図１８においても，上記の形態に係る正面図と同様，遮光遮音構造体４００の枠体４２０を二点鎖線により示している。図１７および図１８はともに，非減圧状態における遮光遮音構造体４００を示している。そして，本形態においても，非減圧状態における遮光遮音構造体４００は，非遮光・非遮音状態である。そして，本形態の遮光遮音構造体４００は，遮光状態をとるための構成が，上記の第３の形態とは異なるものである。
【０１２３】
本形態の遮光遮音構造体４００は，図１７に示すように，上記の第３の形態と同様，第１面Ａ側の面４１１および第２面Ｂ側の面４１２にそれぞれ，フィルム１５０，１５１が貼り付けられているフレーム４１０を有する。また，枠体４２０はいずれも格子状の平板部材であり，複数の貫通窓４２１が形成されている。また，枠体４２０はいずれも複数の貫通窓４２１が形成されており，網目状の平板部材である。各貫通窓４２１について，第１面Ａ側に開口している部分が開口部４１３であり，第２面Ｂ側に開口している部分が開口部４１４である。また，第１面Ａ側および第２面Ｂ側の２枚の枠体４２０の貫通窓４２１はいずれも，フィルム１５０，１５１によって塞がれている。また，図１８に示すように，フレーム４１０の上下左右の面はすべて，フィルム４５２が接合されていることにより塞がれている。
【０１２４】
また，フレーム４１０は，図１７に示すように，２枚の枠体４２０の間に，これらを互いに遠ざける向きに付勢する複数のバネ４３０を有している。フレーム４１０において，２枚の枠体４２０は，バネ４３０を縮めつつ，互いに近づく向きに移動することができる。図１７に示す非減圧状態においては，フレーム４１０は，２枚の枠体４２０が互いに離れた原位置にある。さらに，第１面Ａ側の枠体４２０の内部空間４４０側の面には，円筒部４３１が設けられている。また，第２面Ｂ側の枠体４２０の内部空間４４０側の面には，円柱部４３２が設けられている。そして，円筒部４３１の先端４３３と第２面Ｂ側の枠体４２０との間の隙間がなくなるまで２枚の枠体４２０が互いに近づいた位置が，２枚の枠体４２０の移動端である。バネ４３０，円筒部４３１，円柱部４３２は，図１８に示すように，遮光遮音構造体４００の四隅に設けられている。
【０１２５】
また，本形態の遮光遮音構造体４００は，内部空間４４０に遮光板４６０を有している。遮光板４６０は，遮光遮音構造体４００における遮光状態をとるための構成であり，
可視光を透過しない材質のものである。遮光板４６０には，図１７に示すように，複数の貫通孔４６１が形成されている。つまり，貫通孔４６１の内側には光が通過する。そして，遮光板４６０の貫通孔４６１の上下の部分が，光を遮るための遮光部４６２である。遮光板４６０は，内部空間４４０内に２枚の枠体４２０と平行に設けられている。また，図１７に示すように，遮光板４６０は，その左右の面である表裏の両面においてそれぞれ，対面する枠体４２０の内部空間４４０側の面とリンク４６３により接続されている。リンク４６３はいずれも，遮光板４６０との接続部分が，枠体４２０との接続部分よりも図１７において上側にある。このため，リンク４６３は，遮光板４６０との接続部分が上側，枠体４２０との接続部分が下側となるように傾斜している。
【０１２６】
また，図１８に示すように，遮光板４６０は，左右方向の長さが，枠体４２０のうちの貫通窓４２１が形成されている範囲の長さよりも長いものである。さらに，遮光板４６０の貫通孔４６１は，図１８に示すように，上下および左右のいずれの方向についても，枠体４２０の貫通窓４２１よりもやや大きなものである。また，遮光板４６０の各貫通孔４６１は，図１８の上下および左右のいずれの方向においても，枠体４２０の各貫通窓４２１と同じピッチで配置されている。そして，非減圧状態では，図１８に示すように，遮光板４６０は，光透過領域Ｃがいずれも貫通孔４６１の内側以外の部分に重ならないような位置にある。なお，遮光板４６０の遮光部４６２の上下方向の長さは，枠体４２０の貫通窓４２１の上下方向の長さよりも長いものである。
【０１２７】
そして，本形態の遮光遮音構造体４００においても，圧力調整部１９０によって内部空間４４０の圧力の調整を行うことにより，遮音状態と非遮音状態とをとることができる。つまり，非減圧状態であるときには，フィルム１５０，１５１には特段の張力が掛けられていない緊張解除状態である。そして，緊張解除状態の遮光遮音構造体４００は，非遮音状態をとることができる。一方，減圧状態であるときには，フィルム１５０，１５１の各貫通窓４２１上の部分がその内部へと突出することにより，フィルム１５０，１５１は張力が掛かった緊張状態となる。そして，緊張状態の遮光遮音構造体４００は，遮音状態をとることができる。
【０１２８】
さらに，本形態の遮光遮音構造体４００においては，圧力調整部１９０によって内部空間４４０の圧力の調整を行うことにより，遮光状態と非遮光状態とをとることもできる。前述したように，図１７および図１８に示すのは，非減圧状態のときの遮光遮音構造体４００である。また，非減圧状態におけるフレーム４１０は，２枚の枠体４２０がバネ４３０の付勢によって互いに離れた原位置にある。そして，２枚の枠体４２０が原位置にある遮光遮音構造体４００では，遮光板４６０は，光透過領域Ｃがいずれも貫通孔４６１の内側以外の部分に重ならないような位置にある。すなわち，２枚の枠体４２０が原位置にある遮光遮音構造体４００は，図１８に示すように，遮光板４６０の遮光部４６２が光透過領域Ｃに重なっていないため，非遮光状態である。
【０１２９】
これに対し，内部空間４４０を負圧とした減圧状態の遮光遮音構造体４００を図１９および図２０に示す。図１９は断面図，図２０は正面図である。図１９に示すように，減圧状態のときの遮光遮音構造体４００では，フレーム４１０の２枚の枠体４２０は，円筒部４３１の先端４３３と，第２面Ｂ側の枠体４２０の内部空間４４０側の面とが接触している移動端にある。内部空間４４０が負圧であることにより，内部空間４４０側の圧力が外部の大気圧よりも低いからである。
【０１３０】
また，図１９に示すように，２枚の枠体４２０が移動端にある遮光遮音構造体４００では，遮光板４６０は，２枚の枠体４２０が原位置にあるときよりも上側に位置している。図１９に示す移動端では，２枚の枠体４２０の間隔が原位置よりも狭いため，リンク４６３によって遮光板４６０が上側に押し上げられているからである。
【０１３１】
そして，２枚の枠体４２０が移動端にある遮光遮音構造体４００では，図２０に示すように，遮光板４６０の遮光部４６２が光透過領域Ｃに重なっている。これにより，減圧状態における遮光遮音構造体４００は，入射光が光透過領域Ｃを通過することができない遮光状態をとることができる。また，フレーム４１０の２枚の枠体４２０が原位置から移動端まで近づくとき，遮光板４６０の遮光部４６２は，図２０において下から上に向かって徐々に光透過領域Ｃへと重なる。つまり，フレーム４１０の２枚の枠体４２０が原位置よりも移動端に近い位置にあるときほど，光透過領域Ｃを透過することができる光の量は少なくなる。このため，内部空間４４０の圧力を調整することにより，遮光遮音構造体４００の入射光の透過率を調整することができる。
【０１３２】
このように，本形態の遮光遮音構造体４００は，非減圧状態では，非遮光・非遮音状態をとることができる。また，減圧状態では，遮光・遮音状態をとることができる。すなわち，遮光遮音構造体４００は，内部空間４４０の圧力を減圧状態と非減圧状態との間で切り替えることにより，遮光・遮音状態と非遮光・非遮音状態とをとることができる。また，遮光遮音構造体４００においても，上記の第３の形態と同様に，遮光・非遮音状態または非遮光・遮音状態をとることが可能である。
【０１３３】
以上詳細に説明したように，遮光遮音構造体４００は，フレーム４１０の２枚の枠体４２０の間隔が可変である。また，内部空間４４０に遮光部４６２を有する遮光板４６０が設けられている。そして，２枚の枠体４２０が原位置と移動端との間を移動することにより，遮光板４６０によって遮光状態と非遮光状態とを切り替えることができる。すなわち，遮光遮音構造体４００は，内部空間４４０の圧力によって間隔が可変する２枚の枠体４２０により，遮光状態，非遮光状態，遮音状態，非遮音状態を制御することができる。
【０１３４】
なお，本実施の形態は単なる例示にすぎず，本発明を何ら限定するものではない。従って本発明は当然に，その要旨を逸脱しない範囲内で種々の改良，変形が可能である。例えば，光透過領域Ｃを遮るための構成である遮光板４６０はフィルム１５０，１５１よりも光の透過率の低い材質のものであればよく，半透明のものを用いてもよい。また例えば，上記の遮光遮音構造体４００の遮光板４６０は，非減圧状態で非遮光状態をとり，減圧状態で遮光状態をとるものである。しかし，減圧状態で非遮光状態をとり，非減圧状態で遮光状態をとるようにしてもよい。また例えば，遮光板４６０は，２枚の枠体４２０とリンク４６３により接続され，２枚の枠体４２０の間隔の変化により移動して遮光状態と非遮光状態とを切り替えるものに限られるものではない。例えば，遮光板４６０を，第２の形態で説明したようなピストンの移動に伴って移動させる構成とすることもできる。また例えば，第１の形態で説明したように，フィルム１５０，１５１をそれぞれ第１面Ａ側および第２面Ｂ側の枠体４２０の内側に貼り付けた構成としてもよい。
【符号の説明】
【０１３５】
１００，２００，３００，４００…遮光遮音構造体
１５０，１５１…フィルム
１１０，３１０，４１０…フレーム
１２０，３２０，４２０…枠体
１２１，３２１，４２１…貫通窓
１４０，３４０，４４０…内部空間
１６０…ルーバー
１９０…圧力調整部
３６０，３７０，４６０…遮光板
Ａ…第１面
Ｂ…第２面
【図１】
2015161106.tif 000003
【図２】
2015161106.tif 000004
【図３】
2015161106.tif 000005
【図４】
2015161106.tif 000006
【図５】
2015161106.tif 000007
【図６】
2015161106.tif 000008
【図７】
2015161106.tif 000009
【図８】
2015161106.tif 000010
【図９】
2015161106.tif 000011
【図１０】
2015161106.tif 000012
【図１１】
2015161106.tif 000013
【図１２】
2015161106.tif 000014
【図１３】
2015161106.tif 000015
【図１４】
2015161106.tif 000016
【図１５】
2015161106.tif 000017
【図１６】
2015161106.tif 000018
【図１７】
2015161106.tif 000019
【図１８】
2015161106.tif 000020
【図１９】
2015161106.tif 000021
【図２０】
2015161106.tif 000022